(57)【要約】      （修正有）【課題】背負かばんを背負バンドにより背負った後に、背負バンドのぶらつく端部を束ねて保持し、体裁を良くするとともに、他人や物に触れることを防止するテープバンドを提供する。【解決手段】リックサック、ナップザック等の背負かばんに用いるテープバンド１０であり、背負かばんを背負バンドにより背負った後に、背負バンドのぶらつく端部を束ねて保持する構成のテープバンド本体１１を有し、テープバンド本体１１は、中央部に、背負バンドの端部に挿着する開口部１１ａと、両端部に、背負バンドの端部を束ねて保持するための着脱可能な止部１１ｂ，１１ｃと、を含む。【選択図】図１
2019217064.tif 000002
【特許請求の範囲】
【請求項１】
リックサック、ナップザック等の背負かばんに用いるテープバンドであり、
前記背負かばんを背負バンドにより背負った後に、
前記背負バンドのぶらつく端部を束ねて保持する構成のテープバンド本体を有し、
前記テープバンド本体は、
中央部に、前記背負バンドの端部に挿着する開口部と、
両端部に、前記背負バンドの端部を束ねて保持するための着脱可能な止部と、を含むことを特徴とする背負かばん用テープバンド。
【請求項２】
前記テープバンド本体は、弾性材料又は非弾性材料で構成したことを特徴とする請求項１に記載の背負かばん用テープバンド。
【請求項３】
前記着脱可能な止部は、着脱ボタンまたは面ファスナーであることを特徴とする請求項１または請求項２に記載の背負かばん用テープバンド。
【発明の詳細な説明】
【技術分野】
【０００１】
この発明は、リックサック、ナップザック等の背負かばんのぶらつく端部を束ねて保持する背負かばん用テープバンドに関する。
【背景技術】
【０００２】
従来、背負かばんを背負って使用した際に、例えば、かばんの背面が人の背中に密着されるので、通気性を良くして背中がむれないようにした背負かばんが提案されている（特許文献１）。このような背負かばんでは、その背部には背負バンドが設けられており、この背負バンドにより背負かばんを背負ようになっている。
【先行技術文献】
【特許文献】
【０００３】
【特許文献１】特開２００１−２０４５４７号公報
【発明の概要】
【発明が解決しようとする課題】
【０００４】
従来の背負かばんでは、その背部に設けられる背負バンドは、使用者の体形や内部に入れる荷物の量などに合わせて長さを調節することができるようになっている。このため、例えば、痩せた人が使用する場合や内部に入れる荷物が少量の場合には、背負バンドの手を通す部分を小さくするように調節するが、その分背負かばんを背負バンドにより背負った後に、背負バンドの端部が大きくぶらつくようになる。このように、背負バンドの端部が大きくぶらつくと、体裁が悪いだけでなく、邪魔になり、かつ他人や物に触れるなどの問題があった。
【０００５】
この発明は、このような事情に鑑みてなされたものであって、背負かばんを背負バンドにより背負った後に、背負バンドのぶらつく端部を束ねて保持し、体裁を良くするとともに、他人や物に触れることを防止することが可能な背負かばん用テープバンドを提供することを目的とする。
【課題を解決するための手段】
【０００６】
前記課題を解決し、かつ目的を達成するために、この発明は、以下のように構成した。
【０００７】
請求項１の記載の発明は、リックサック、ナップザック等の背負かばんに用いるテープバンドであり、
前記背負かばんを背負バンドにより背負った後に、
前記背負バンドのぶらつく端部を束ねて保持する構成のテープバンド本体を有し、
前記テープバンド本体は、
中央部に、前記背負バンドの端部に挿着する開口部と、
両端部に、前記背負バンドの端部を束ねて保持するための着脱可能な止部と、を含むことを特徴とする背負かばん用テープバンドである。
【０００８】
請求項２の記載の発明は、前記テープバンド本体は、弾性材料又は非弾性材料で構成したことを特徴とする請求項１に記載の背負かばん用テープバンドである。
【０００９】
請求項３の記載の発明は、前記着脱可能な止部は、着脱ボタンまたは面ファスナーであることを特徴とする請求項１または請求項２に記載の背負かばん用テープバンドである。
【発明の効果】
【００１０】
前記構成により、この発明は、以下のような効果を有する。
【００１１】
請求項１乃至請求項３に記載の発明では、背負かばん用テープバンドは、背負かばんを背負バンドにより背負った後に、背負バンドのぶらつく端部を束ねて保持する構成であり、背負かばんを背負バンドにより背負った後に、背負バンドのぶらつく端部を束ねて保持し、体裁を良くするとともに、他人や物に触れることを防止することが可能である。
【図面の簡単な説明】
【００１２】
【図１】背負かばん用テープバンドの斜視図である。
【図２】背負かばんの斜視図である。
【図３】挿着前の斜視図である。
【図４】挿着した状態の斜視図である。
【図５】巻き込んだ状態の斜視図である。
【図６】束ねて保持した状態の斜視図である。
【発明を実施するための形態】
【００１３】
以下、この発明の背負かばん用テープバンドの実施の形態について説明する。この実施の形態は背負かばん用テープバンドの好ましい形態を示すものであるが、この発明はこれに限定されない。
【００１４】
［背負かばん用テープバンド］
この背負かばん用テープバンドの実施の形態を、図１及び図２に基づいて説明する。図１は背負かばん用テープバンドの斜視図、図２は背負かばんの斜視図である。
【００１５】
この実施の形態の背負かばん用テープバンド１０は、リックサック、ナップザック等の背負かばん２０に用いるテープバンドである。背負かばん２０は、その背部には背負バンド２１が設けられており、この背負バンド２１により背負かばん２０を背負ようになっている。
【００１６】
このような背負かばん２０では、その背部に設けられる背負バンド２１は、使用者の体形や内部に入れる荷物の量などに合わせて長さを調節することができるようになっている。このため、例えば、痩せた人が使用する場合や内部に入れる荷物が少量の場合には、背負バンド２１の手を通す部分を小さくするように調節するために、背負かばん２０を背負バンド２１により背負った後に、背負バンド２１の端部２１ａが大きくぶらつくようになる。
【００１７】
背負かばん用テープバンド１０は、背負かばん２０を背負バンド２１により背負った後に、背負バンド２１のぶらつく端部２１ａを束ねて保持する構成であり、テープバンド本体１１を有する。
【００１８】
テープバンド本体１１は、弾性材料又は非弾性材料で構成され、弾性材料として例えばゴムなどが用いられ、非弾性材料としては例えば布などが用いられる。テープバンド本体１１は、中央部に、背負バンド２１の端部２１ａに挿着する開口部１１ａと、両端部に、背負バンド２１の端部２１ａを束ねて保持するための着脱可能な止部１１ｂ，１１ｂと、を含む。
【００１９】
着脱可能な止部１１ｂ，１１ｂは、着脱ボタンまたは面ファスナーであり、図１（ａ）は着脱ボタンの実施の形態であり、図１（ｂ）は面ファスナーの実施の形態である。面ファスナーは、面的に着脱できるファスナーである。布に特殊な加工をし、再び脱着可能な状態で結合したい場合に用いられる。
【００２０】
［背負かばん用テープバンドの使用］
この実施の形態の背負かばん用テープバンドは、図３乃至図６に示すようにして使用される。図３は挿着前の斜視図、図４は挿着した状態の斜視図、図５は巻き込んだ状態の斜視図、図６は束ねて保持した状態の斜視図である。
【００２１】
背負かばん２０を背負バンド２１により背負った後に、背負バンド２１のぶらつく端部２１ａを、背負かばん用テープバンド１０の開口部１１ａを合わせる（図３）。そして、背負バンド２１のぶらつく端部２１ａを、背負かばん用テープバンド１０の開口部１１ａに挿着する（図４）。背負かばん用テープバンド１０が弾性材料で構成されることで、背負バンド２１のぶらつく端部２１ａに、背負かばん用テープバンド１０が伸びて開口部１１ａを容易に挿着して保持することができる。
【００２２】
次に、背負かばん用テープバンド１０が内側になるようにぶらつく端部２１ａを巻き（図５）、背負かばん用テープバンド１０を内側に巻き込んだ状態で、着脱可能な止部１１ｂ，１１ｂを止めて背負バンド２１の端部２１ａを束ねて保持する（図６）。
【００２３】
このように、背負かばん２０を背負バンド２１により背負った後に、背負バンド２１のぶらつく端部２１ａを背負かばん用テープバンド１０により束ねて保持することで、体裁を良くするとともに、他人や物に触れることを防止することが可能である。
【産業上の利用可能性】
【００２４】
この発明は、リックサック、ナップザック等の背負かばんのぶらつく端部を束ねて保持する背負かばん用テープバンドに適用され、背負かばんを背負バンドにより背負った後に、背負バンドのぶらつく端部を束ねて保持し、体裁を良くするとともに、他人や物に触れることを防止することが可能である。
【符号の説明】
【００２５】
１０  背負かばん用テープバンド
１１  テープバンド本体
１１ａ  開口部
１１ｂ，１１ｂ  着脱可能な止部
２０  背負かばん
２１  背負バンド
２１ａ  背負バンド２１の端部
【図１】
2019217064.tif 000003
【図２】
2019217064.tif 000004
【図３】
2019217064.tif 000005
【図４】
2019217064.tif 000006
【図５】
2019217064.tif 000007
【図６】
2019217064.tif 000008
【手続補正書】
【提出日】令和1年8月29日(2019.8.29)
【手続補正１】
【補正対象書類名】特許請求の範囲
【補正対象項目名】全文
【補正方法】変更
【補正の内容】
【特許請求の範囲】
【請求項１】
リックサック、ナップザック等の背負かばんに用いるテープバンドであり、
前記背負かばんの背負バンドとは別体のテープバンド本体を有し、
前記テープバンド本体は、
中央部に、前記背負バンドの端部に挿着する開口部と、
両端部に、前記背負バンドの端部を束ねて保持するための着脱可能な止部と、を含み、
前記背負バンドのぶらつく端部に、前記開口部を挿着して前記テープバンド本体を取り付け、
前記テープバンド本体を回転して前記背負バンドのぶらつく端部を、前記テープバンド本体に巻き付け、
前記背負バンドの端部を束ねて前記止部により保持する構成であることを特徴とする背負かばん用テープバンド。
【請求項２】
前記テープバンド本体は、弾性材料又は非弾性材料で構成したことを特徴とする請求項１に記載の背負かばん用テープバンド。
【請求項３】
前記着脱可能な止部は、着脱ボタンまたは面ファスナーであることを特徴とする請求項１または請求項２に記載の背負かばん用テープバンド。
【手続補正２】
【補正対象書類名】明細書
【補正対象項目名】０００７
【補正方法】変更
【補正の内容】
【０００７】
請求項１の記載の発明は、リックサック、ナップザック等の背負かばんに用いるテープバンドであり、
前記背負かばんの背負バンドとは別体のテープバンド本体を有し、
前記テープバンド本体は、
中央部に、前記背負バンドの端部に挿着する開口部と、
両端部に、前記背負バンドの端部を束ねて保持するための着脱可能な止部と、を含み、
前記背負バンドのぶらつく端部に、前記開口部を挿着して前記テープバンド本体を取り付け、
前記テープバンド本体を回転して前記背負バンドのぶらつく端部を、前記テープバンド本体に巻き付け、
前記背負バンドの端部を束ねて前記止部により保持する構成であることを特徴とする背負かばん用テープバンドである。